(57)【特許請求の範囲】
【請求項１】
無線通信が可能な無線ＬＡＮ装置であって、
所定の操作により他の無線装置と無線通信を確立するために必要な通信パラメータを要請する要請部と、
前記要請部による要請に応じて送信される前記通信パラメータを受信する受信部と、
前記通信パラメータを記録する記録部と、
前記通信パラメータを設定する設定部と、を含み、
前記記録部は、
前記受信部により受信した前記通信パラメータのうち第１の通信パラメータを記録する第１の記録領域と、
前記通信パラメータのうち前記第１の通信パラメータと異なるデフォルトの第２の通信パラメータを記録する第２の記録領域と、を含み、
前記要請部は、前記受信部に前記通信パラメータを送信してきた装置の通信が所定時間消失しているか否かを判定し、消失したと判定した場合に、前記第１の通信パラメータを使用した通信を可能とする、複数のＳＳＩＤを管理可能な無線ＬＡＮ装置。
【請求項２】
コピーボタンをさらに含み、
前記所定の操作は、前記コピーボタンの押下操作である、請求項１記載の複数のＳＳＩＤを管理可能な無線ＬＡＮ装置。
【請求項３】
ＱＲコード（登録商標）をさらに含み、
前記ＱＲコード（登録商標）は、前記第２の記録領域における第２の通信パラメータが表示された、請求項１または２に記載の複数のＳＳＩＤを管理可能な無線ＬＡＮ装置。
【請求項４】
前記第１の記録領域に前記第１の通信パラメータが記録された場合、前記要請部は、前記受信部に前記通信パラメータを送信してきた装置へ、当該通信パラメータを削除するよう要請する、請求項１乃至３記載の複数のＳＳＩＤを管理可能な無線ＬＡＮ装置。
【請求項５】
前記所定の操作の後、
前記記録部は、前記第１の記録領域に記録可能な領域があるか否かを判定し、前記記録可能な領域がない場合報知する、請求項１乃至４記載の複数のＳＳＩＤを管理可能な無線ＬＡＮ装置。
【請求項６】
電源投入またはリセット時に、前記要請部および前記受信部は、前記受信部に前記通信パラメータを送信してきた装置が前記第１の通信パラメータによる通信の有無を判定する、請求項１乃至５記載の複数のＳＳＩＤを管理可能な無線ＬＡＮ装置。
【請求項７】
無線通信が可能な無線ＬＡＮ装置のプログラムであって、
所定の操作により他の無線装置と無線通信を確立するために必要な通信パラメータを要請する要請処理と、
前記要請処理による要請に応じて送信される前記通信パラメータを受信する受信処理と、
前記通信パラメータを記録する記録処理と、
前記通信パラメータを設定する設定処理と、を含み、
前記記録処理は、
前記受信処理により受信した前記通信パラメータのうち第１の通信パラメータを第１の記録領域へ記録し、
前記通信パラメータのうち前記第１の通信パラメータと異なるデフォルトの第２の通信パラメータを第２の記録領域へ記録し、
前記要請処理は、前記通信パラメータを送信してきた装置の通信が所定時間消失しているか否かを判定し、消失したと判定した場合に、前記第１の通信パラメータを使用した通信を可能とする、複数のＳＳＩＤを管理可能な無線ＬＡＮ装置のプログラム。
【請求項８】
無線通信が可能な無線ＬＡＮ装置用の制御方法であって、
所定の操作により他の無線装置と無線通信を確立するために必要な通信パラメータを要請する要請工程と、
前記要請工程による要請に応じて送信される前記通信パラメータを受信する受信工程と、
前記通信パラメータを記録する記録工程と、
前記通信パラメータを設定する設定工程と、を含み、
前記記録工程は、
前記受信工程により受信した前記通信パラメータのうち第１の通信パラメータを第１の記録領域へ記録し、
前記通信パラメータのうち前記第１の通信パラメータと異なるデフォルトの第２の通信パラメータを第２の記録領域へ記録し、
前記要請工程は、前記通信パラメータを送信してきた装置の通信が所定時間消失しているか否かを判定し、消失したと判定した場合に、前記第１の通信パラメータを使用した通信を可能とする、複数のＳＳＩＤを管理可能な無線ＬＡＮ装置の制御方法。
【発明の詳細な説明】
【技術分野】
【０００１】
本発明は、無線ＬＡＮ装置の通信に関する。特に、無線ＬＡＮ装置の置きかえ、または追加の場合における無線ＬＡＮ装置、無線ＬＡＮ装置のプログラムおよび無線ＬＡＮ装置の制御方法に関する。
【背景技術】
【０００２】
従来から、無線ＬＡＮ装置に関して、種々の研究開発が行なわれている。例えば、特許文献１（特開２０１２−４４７０７号）には、すでに構築済みであるネットワークに所属する通信装置と、新規にネットワークに参加する通信装置とで通信パラメータの自動設定を行った場合に、構築済みのネットワークでの通信ができなくなってしまうことを防止する通信装置、通信装置の制御方法、プログラムについて開示されている。
【０００３】
特許文献１（特開２０１２−４４７０７号）記載の通信装置は、通信パラメータを提供する提供装置、又は提供装置が提供する通信パラメータを受信する受信装置として通信パラメータの設定処理を行う通信装置であって、提供装置として受信装置に通信パラメータを提供する提供手段と、受信装置として提供装置から通信パラメータを受信する受信手段と、通信装置の役割を提供装置もしくは受信装置に設定する設定手段と、を有し、設定手段は、所定のユーザ操作が行われた際に、既にネットワークに参加している場合、通信装置の役割を提供装置に設定し、所定のユーザ操作が
行われた際に、ネットワークに参加していない場合、他の通信装置が提供装置として送信した信号を受信すると通信装置の役割を受信装置に設定することを特徴とするものである。
【０００４】
また、特許文献２（特開２０１１−１９３２２５号）には、非対称なプロトコルを用いた処理の当事者の一方と他方との機能を併せ持つ無線ＬＡＮ装置と、他の無線ＬＡＮ装置との間で、非対称なプロトコルを用いた処理を好適に実行する無線ＬＡＮ装置、プロトコル実行方法及びそのプログラムについて開示されている。
【０００５】
特許文献２（特開２０１１−１９３２２５号）記載の無線ＬＡＮ装置は、無線通信を行う無線ＬＡＮ装置であって、非対称なプロトコルを用いた非対称処理の一方の当事者として無線通信を行う第１の通信手段と、非対称なプロトコルを用いた非対称処理の他方の当事者として無線通信を行う第２の通信手段と、非対称なプロトコルを用いた非対称処理の実行指示を受け付ける受付手段と、受付手段が受け付けた指示に基づき、無線ＬＡＮ装置の電波到達範囲内に通信可能に存在する非対称処理の当事者と、第１及び／または第２の通信手段との間で、非対称処理を実行する実行手段と、第１または第２の通信手段が非対称処理を行う際、該第１及び第２の通信手段の少なくとも一方が該非対称処理を完遂する前に、非対称処理の当事者から、該第１及び第２の通信手段の他方を除外する除外手段とを備えたことを特徴とするものである。
【０００６】
また、特許文献３（特開２０１１−２０５２９２号）には、非対称なプロトコルを用いた処理の当事者の一方と他方との機能を併せ持つ無線ＬＡＮ装置を含む３台以上の無線ＬＡＮ装置を備える無線ＬＡＮシステムにおいて、無線通信の設定に関する設定情報を共有させるためのユーザ操作を簡略化する無線ＬＡＮシステム、無線ＬＡＮ装置、設定情報設定方法及びそのプログラムについて開示されている。
【０００７】
特許文献３（特開２０１１−２０５２９２号）記載の無線ＬＡＮシステムは、無線通信を行う無線ＬＡＮ装置を３台以上備えた無線ＬＡＮシステムであって、無線通信の設定に関する情報を含む設定情報を無線通信によって共有可能とする非対称なプロトコルを用いた非対称処理の一方の当事者として無線
通信を行う第１の通信手段と、非対称処理の他方の当事者として無線通信を行う第２の通信手段とを備えた少なくとも１台の第１の無線ＬＡＮ装置と、非対称処理の一方の当事者として無線通信を行う第３の通信手段を備えた１台の第２の無線ＬＡＮ装置と、非対称処理の他方の当事者として無線通信を行う第４の通信手段を備えた１台の第３の無線ＬＡＮ装置とを備え、第１ないし第３の無線ＬＡＮ装置の各々は、非対称処理の実行指示を受け付ける実行受付手段と、実行受付手段が受け付けた指示に基づき、非対称処理の当事者として該非対称処理を実行する実行手段とを備え、第１ないし第４の通信手段の各々は、当事者として１つの非対称処理を完遂した際に、該非対称処理の動作を停止し、第１の無線ＬＡＮ装置は、第１または第２の通信手段が非対称処理を行う際、同一の第１の無線ＬＡＮ装置が備える第１及び第２の通信手段の間での非対称処理の完遂を禁止する禁止手段を備えたものである。
【０００８】
また、特許文献４（特開２０１３−４６２９０号）には、無線通信に関する通信設定情報をアクセアスポイント間で容易に共有する通信装置、通信システムおよび通信設定情報の共有方法について開示されている。
【０００９】
特許文献４（特開２０１３−４６２９０号）記載の通信装置は、通信装置であって、アクセスポイントとして、所定の通信設定情報に基づいて無線通信が可能な無線通信部と、有線を介して通信を行う有線通信部と、通信装置を含む２以上のアクセスポイント装置のうちの１つのアクセスポイント装置に対して設定される動作モードであって、該１つのアクセスポイント装置に既に設定された通信設定情報を、２以上のアクセスポイント装置のうちの他のアクセスポイント装置に提供すべき第１の動作モードと、他のアクセスポイント装置に対して設定される動作モードであって、該第１の動作モードに設定されたアクセスポイント装置から既に設定された通信設定情報の提供を受けるべき第２の動作モードとのうちの、いずれの動作モードで動作するかを通信装置に対して設定する動作モード設定部と、通信装置が第１の動作モードに設定された場合に、通信装置に初めて設定された、または、変更により新たに設定された通信設定情報を、有線通信部による通信によって、第２の動作モードに設定された他の通信装置に提供する提供部とを備えたことを特徴とするものである。
【００１０】
さらに、特許文献５（特開２０１２−６０３５１号）には、無線ＬＡＮを利用するための利用情報を転送する技術を提供するデータ転送方法および端末について開示されている。
【００１１】
特許文献５（特開２０１２−６０３５１号）記載のデータ転送方法は、無線ＬＡＮと接続可能な複数の端末においてデータを転送するデータ転送方法であって、端末の一つは、端末が利用可能な無線ＬＡＮを当該端末以外の他の端末が利用するために必要な情報である利用情報を予め記録しており、端末の少なくとも一方に対する外部からの所定の操作に基づいて、端末の一つが記録している利用情報を、無線を介して他の端末に転送し該他の端末が記録することを特徴とするものである。
【先行技術文献】
【特許文献】
【００１２】
【特許文献１】特開２０１２−４４７０７号公報
【特許文献２】特開２０１１−１９３２２５号公報
【特許文献３】特開２０１１−２０５２９２号公報
【特許文献４】特開２０１３−４６２９０号公報
【特許文献５】特開２０１２−６０３５１号公報
【発明の概要】
【発明が解決しようとする課題】
【００１３】
特許文献１乃至５の無線ＬＡＮ装置では、上記の効果が記載されている。
しかしながら、近年、無線ＬＡＮ装置は、多数のクライアントとの通信を行なう要望が高まっている。それに伴い、マルチＳＳＩＤと呼ばれる多数の設定が可能な無線ＬＡＮ装置が開発されている。しかしながら、マルチＳＳＩＤにおいて、新たな無線ＬＡＮ装置に置きかえる際に、全ての通信パラメータの設定をコピーするのみでは、さらに新たなクライアントとの通信ネットワークを構築することができないという問題が生じる。
すなわち、既設の通信ネットワーク内に新たな無線ＬＡＮ装置を配置するのみならず、新たな無線ＬＡＮ装置に置きかえつつ、さらに新規の通信ネットワークを構築させたいという要望がある。
【００１４】
本発明の目的は、無線ＬＡＮ装置の置きかえ、および／または無線ＬＡＮの追加の場合に既設の通信ネットワークのみならず、新規の通信ネットワークを構築することができる無線ＬＡＮ装置、無線ＬＡＮ装置のプログラムおよび無線ＬＡＮ装置の制御方法を提供することである。
【課題を解決するための手段】
【００１５】
（１）
一局面に従う無線ＬＡＮ装置は、無線通信が可能な無線ＬＡＮ装置であって、所定の操作により通信パラメータを要請する要請部と、要請部による要請に応じて送信される通信パラメータを受信する受信部と、通信パラメータを記録する記録部と、通信パラメータを設定する設定部と、を含み、記録部は、受信部により受信した通信パラメータのうち第１の通信パラメータを記録する第１の記録領域と、通信パラメータのうち第２の通信パラメータを記録する第２の記録領域と、を含むものである。
【００１６】
本発明においては、要請部により所定の操作で通信パラメータが要請される。受信部により要請部の要請に応じて送信された通信パラメータが受信される。記録部により通信パラメータが記録される。設定部により通信パラメータが設定される。
記録部は、受信部により受信した通信パラメータのうち第１の通信パラメータを記録する第１の記録領域と、通信パラメータのうち第２の通信パラメータを記録する第２の記録領域と、を含む。
【００１７】
この場合、無線ＬＡＮ装置の要請部により他の無線ＬＡＮ装置へ要請され、送信された既存の通信パラメータが受信部により受信され、第１の記録領域に記録される。その結果、本発明にかかる無線ＬＡＮ装置は、第１の記録領域を用いて、古い無線ＬＡＮ装置から既存の通信パラメータを確実にコピーし、既設のネットワークを正常に維持しつつ、第２の記録領域を用いて、新たなネットワークを容易に構築することができる。
すなわち、新たな無線ＬＡＮ装置の記憶領域においては、既設の無線ＬＡＮ装置の通信パラメータの設定情報を完全にコピーするのみではなく、第２記録領域を設けて、新たな無線ＬＡＮ用の通信パラメータを記録することで、新たな通信ネットワークを増築することができる。その結果、マルチＳＳＩＤの場合の無線ＬＡＮ装置の置きかえ、および、通信ネットワークの増築にも対応することができる。
したがって、単に既設の通信パラメータをコピーをする無線ＬＡＮにおいては、第２の記録領域を持たないため、新たな通信パラメータを設定することができなかった。本発明における無線ＬＡＮ装置においては、当該問題を解消することができる。
【００１８】
（２）
第２の発明にかかる無線ＬＡＮ装置は、一局面にかかる無線ＬＡＮ装置において、コピーボタンをさらに含み、所定の操作は、コピーボタンの押下操作であってもよい。
【００１９】
この場合、コピーボタンにより容易に第１の通信パラメータを第１の記録領域に保存することができる。
なお、コピーボタンは、第１の通信パラメータを第１の記録領域に記録した後は、他の機能を有してもよい。例えば、複数回押下操作することにより、省電力モードに移行させる機能、ＵＳＢの取り外し機能、フィルタリングのオンオフ機能等、任意の機能を持たせてもよい。
【００２０】
（３）
第３の発明にかかる無線ＬＡＮ装置は、一局面または第２の発明にかかる無線ＬＡＮ装置において、ＱＲコード（登録商標）をさらに含み、ＱＲコードは、第２の記録領域における第２の通信パラメータを表示してもよい。
【００２１】
この場合、無線ＬＡＮ装置は、ＱＲコードに記録された通信パラメータを記録する第２の記録領域を有するので、新たなネットワークを容易に構築することができる。すなわち、第１の記憶領域に既設の通信ネットワークにおける通信パラメータを保存し、当該通信パラメータを用いて既設のネットワークを維持しつつ、第２の記憶領域においてＱＲコードを用いた通信パラメータで新たな通信ネットワークを形成することができる。
【００２２】
（４）
第４の発明にかかる無線ＬＡＮ装置は、一局面から第３の発明にかかる無線ＬＡＮ装置において、第１の記録領域に第１の通信パラメータが記録された場合、要請部は、受信部に通信パラメータを送信してきた装置へ、当該通信パラメータを削除するよう要請してもよい。
【００２３】
この場合、無線ＬＡＮ装置を容易に置きかえることができる。すなわち、既設の通信ネットワークにおける無線ＬＡＮ装置の代わりに本発明にかかる無線ＬＡＮ装置を配設させることで、既設のクライアントの通信不良を防止することができる。つまり、既設の通信ネットワークにおけるクライアントがいずれの無線ＬＡＮ装置と通信すべきかという問題を排除することができる。
なお、ユーザが既設の無線ＬＡＮ装置の電源を遮断することでも、当該問題を解決することができる。
【００２４】
（５）
第５の発明にかかる無線ＬＡＮ装置は、一局面から第３の発明にかかる無線ＬＡＮ装置において、要請部は、受信部に通信パラメータを送信してきた装置の通信が所定時間消失しているか否かを判定し、消失したと判定した場合に、第１の通信パラメータを使用した通信を可能としてもよい。
【００２５】
この場合、所定時間消失している、すなわち、当該装置の電源がカットされたと判定することができる。その結果、通信の重複を防止することができる。
また、この場合、第１の記録領域に第１の通信パラメータを有効にすることができ、さらに、第１の記録領域に第１の通信パラメータを記録し、その後、判定を行って、第１の記録領域に記録された第１の通信パラメータを有効にし、通信を可能としてもよい。
【００２６】
（６）
第６の発明にかかる無線ＬＡＮ装置は、一局面から第５の発明にかかる無線ＬＡＮ装置において、所定の操作の後、記録部は、第１の記録領域に記録可能な領域があるか否かを判定してもよい。
【００２７】
この場合、第１の記録領域に既に通信パラメータが記録されている場合には、報知することにより、ユーザの意図しない通信エラーを防止することができる。したがって、確実に通信パラメータを無効の領域（空き領域）に記録することができる。ここで、無効の領域とは、無線ＬＡＮ装置の第１の記録領域、第２の記録領域に設定されている通信パラメータが削除された状態、または、無線ＬＡＮ装置１００の第１記録部、第２記録部に設定されている通信パラメータに対して無線ＬＡＮ装置１００は有効または無効を切り換えるフラグを持ち、有効フラグ時はその通信パラメータを通信に使用し、無効フラグ時は通信に使用しない、といった場合の「無効フラグ時」を含むものである。
【００２８】
（７）
第７の発明にかかる無線ＬＡＮ装置は、電源投入またはリセット時に、要請部および受信部は、自身が通信に使用する通信パラメータによる通信の有無を判定してもよい。
【００２９】
この場合、自身が通信に使用する通信パラメータが既に使用されているか否かを判定するので、初期通信エラーを防止することができる。
また、自身が通信に使用する通信パラメータとは、無線ＬＡＮ装置１００がデフォルト値として予め設定されている通信パラメータ（ＳＳＩＤなど）がＱＲコードとして装置に貼り付け、もしくは添付されている状態の通信パラメータ、無線ＬＡＮ装置１００に対してユーザが手動で設定した通信パラメータ、本願発明を利用することによって他の無線ＬＡＮ装置からコピーを実施した（他の無線ＬＡＮ装置で使用していた）通信パラメータを意味する。
また、実際に通信可能な状態（有効または無効フラグが設定可能であり、有効に設定されている場合）と、各記録部に記録されているが通信可能な状態では無い（有効または無効フラグが無効に設定されている）ものを含む。
【００３０】
（８）
他の局面に従う無線ＬＡＮ装置のプログラムは、無線通信が可能な無線ＬＡＮ装置のプログラムであって、所定の操作により通信パラメータを要請する要請処理と、要請処理による要請に応じて送信される通信パラメータを受信する受信処理と、通信パラメータを記録する記録処理と、通信パラメータを設定する設定処理と、を含み、記録処理は、受信処理により受信した通信パラメータのうち第１の通信パラメータを記録する第１の記録領域と、通信パラメータのうち第２の通信パラメータを記録する第２の記録領域と、を含むものである。
【００３１】
本発明においては、要請処理により所定の操作で通信パラメータが要請される。受信処理により要請処理の要請に応じて送信された通信パラメータが受信される。記録処理により通信パラメータが記録される。設定処理により通信パラメータが設定される。
記録処理は、受信処理により受信した通信パラメータのうち第１の通信パラメータを記録する第１の記録領域と、通信パラメータのうち第２の通信パラメータを記録する第２の記録領域と、を含む。
【００３２】
この場合、無線ＬＡＮ装置の要請部により他の無線ＬＡＮ装置へ要請され、送信された通信パラメータが受信部により受信され、第１の記録領域に記録される。その結果、本発明にかかる無線ＬＡＮ装置は、第１の記録領域を用いて、古い無線ＬＡＮ装置から通信パラメータを確実にコピーし、既設のネットワークを正常に維持しつつ、第２の記録領域を用いて、新たなネットワークを容易に構築することができる。
すなわち、新たな無線ＬＡＮ装置の記憶領域においては、古い無線ＬＡＮ装置の通信パラメータの設定情報をを完全にコピーするのみではなく、第２記録領域を設けて、新たな無線ＬＡＮ用の通信パラメータを記録することで、新たな通信ネットワークを増築することができる。その結果、マルチＳＳＩＤの場合の無線ＬＡＮ装置の置きかえ、および、通信ネットワークの増築にも対応することができる。
したがって、単に既設の通信パラメータをコピーをする無線ＬＡＮにおいては、第２の記録領域を持たないため、新たな通信パラメータを設定することができなかった。本発明における無線ＬＡＮ装置においては、当該問題を解消することができる。
【００３３】
（９）
さらに他の局面に従う無線ＬＡＮ装置の制御方法は、無線通信が可能な無線ＬＡＮ装置用の制御方法であって、所定の操作により通信パラメータを要請する要請工程と、要請工程による要請に応じて送信される通信パラメータを受信する受信工程と、通信パラメータを記録する記録工程と、通信パラメータを設定する設定工程と、を含み、記録工程は、受信工程により受信した通信パラメータのうち第１の通信パラメータを記録する第１の記録領域と、通信パラメータのうち第２の通信パラメータを記録する第２の記録領域と、を含むものである。
【００３４】
本発明においては、要請工程により所定の操作で通信パラメータが要請される。受信工程により要請工程の要請に応じて送信された通信パラメータが受信される。記録工程により通信パラメータが記録される。設定工程により通信パラメータが設定される。
記録工程は、受信工程により受信した通信パラメータのうち第１の通信パラメータを記録する第１の記録領域と、通信パラメータのうち第２の通信パラメータを記録する第２の記録領域と、を含む。
【００３５】
この場合、無線ＬＡＮ装置の要請部により他の無線ＬＡＮ装置へ要請され、送信された通信パラメータが受信部により受信され、第１の記録領域に記録される。その結果、本発明にかかる無線ＬＡＮ装置は、第１の記録領域を用いて、古い無線ＬＡＮ装置から通信パラメータを確実にコピーし、既設のネットワークを正常に維持しつつ、第２の記録領域を用いて、新たなネットワークを容易に構築することができる。
すなわち、新たな無線ＬＡＮ装置の記憶領域においては、古い無線ＬＡＮ装置の通信パラメータの設定情報を完全にコピーするのみではなく、第２記録領域を設けて、新たな無線ＬＡＮ用の通信パラメータを記録することで、新たな通信ネットワークを増築することができる。その結果、マルチＳＳＩＤの場合の無線ＬＡＮ装置の置きかえ、および、通信ネットワークの増築にも対応することができる。
したがって、単に既設の通信パラメータをコピーをする無線ＬＡＮにおいては、第２の記録領域を持たないため、新たな通信パラメータを設定することができなかった。本発明における無線ＬＡＮ装置においては、当該問題を解消することができる。
【図面の簡単な説明】
【００３６】
【図１】本実施の形態にかかる無線ＬＡＮ装置の外観の一例を示す模式的斜視図である。
【図２】本実施の形態にかかる無線ＬＡＮ装置の一例の内部構成を示す模式図である。
【図３】既設の無線ＬＡＮ装置による通信ネットワーク環境を説明するための模式図である。
【図４】本発明にかかる無線ＬＡＮ装置を既設の通信ネットワークに追加した場合を示す模式図である。
【図５】無線ＬＡＮ装置における新規の通信ネットワークを追加した場合を示す模式図である。
【図６】本発明にかかる無線ＬＡＮ装置を既設の通信ネットワークに追加した場合のタイムチャート図である。
【図７】本発明にかかる無線ＬＡＮ装置の新たな通信ネットワークを構築する場合のタイムチャート図である。
【図８】図６に示した初期処理の一例を示すフローチャートである。
【図９】図６の領域決定処理の一例を示すフローチャートである。
【図１０】図６の設定前処理の一例を示すフローチャートである。
【発明を実施するための最良の形態】
【００３７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３８】
（本実施の形態）
図１は、本実施の形態にかかる無線ＬＡＮ装置１００の外観の一例を示す模式的斜視図であり、図２は、本実施の形態にかかる無線ＬＡＮ装置１００の一例の内部構成を示す模式図である。
【００３９】
図１および図２に示すように、無線ＬＡＮ装置１００は、送信部２００、受信部３００、設定部４００、電源部４５０、記録部５００、コピーボタン６１０、およびＱＲコード情報部６２０を含む。
図２に示すように、本実施の形態にかかる記録部５００は、第１記録部５１０および第２記録部５２０を含む。
【００４０】
また、コピーボタン６１０は、無線ＬＡＮ装置１００の筐体に設けられる。ＱＲコード情報部６２０は、ＱＲコードを印刷したシールが図１の筐体の裏面に貼り付けられる。
【００４１】
次に、本実施の形態にかかる無線ＬＡＮ装置１００の使用時の具体例について説明する。図３は既設の無線ＬＡＮ装置７００による通信ネットワーク環境を説明するための模式図であり、図４は本発明にかかる無線ＬＡＮ装置１００を既設の通信ネットワークに追加した場合を示す模式図であり、図５は無線ＬＡＮ装置１００における新規の通信ネットワークを追加した場合を示す模式図である。
【００４２】
また、図６は本発明にかかる無線ＬＡＮ装置１００を既設の通信ネットワークに追加した場合のタイムチャート図であり、図７は本発明にかかる無線ＬＡＮ装置１００の新たな通信ネットワークを構築する場合のタイムチャート図である。
また、図８、図９、図１０は、図６における処理の一例を示すフローチャートである。
【００４３】
まず、図３に示す通信ネットワークは、既設の無線ＬＡＮ装置７００と、クライアント７１０，７２０とにより構築されている。
ここで、既設の無線ＬＡＮ装置７００は、例えば、ＩＥＥＥ８０２．１１規格に準拠する無線通信をクライアント７１０，７２０との間で行う。したがって、既設の無線ＬＡＮ装置７００には、ＷＰＳ（Ｗｉ-Ｆｉ  Ｐｒｏｔｅｃｔｅｄ  Ｓｅｔｕｐ）に含まれる、ネットワーク識別子としてのＳＳＩＤ（Ｓｅｒｖｉｃｅ  Ｓｅｔ  Ｉｄｅｎｔｉｆｉｅｒ）、ＷＰＡ（Ｗｉ-Ｆｉ  Ｐｒｏｔｅｃｔｅｄ  Ａｃｃｅｓｓ：暗号方式）、暗号鍵、認証方式、認証鍵等の無線通信をおこなうために必要な通信パラメータが設定されている。
【００４４】
例えば、図３に示すように、既設の無線ＬＡＮ装置７００には、既設の通信ネットワークのＳＳＩＤがＯＬＤＳＳＩＤであり、暗号化がＢ１であることが設定されている。
【００４５】
続いて、図４に示すように、本発明にかかる無線ＬＡＮ装置１００を既設の通信ネットワーク内に配置させる場合、無線ＬＡＮ装置１００の電源を入力する。それにより、図６に示した初期処理が実施される。
以下、初期処理の流れについて説明を行う。
【００４６】
図８は、図６に示した初期処理の一例を示すフローチャートである。
図８に示すように、無線ＬＡＮ装置１００は、電源投入またはリセット認識を行なう（ステップＳ１）。
続いて、無線ＬＡＮ装置１００は、自身が使用可能な通信パラメータが存在するか否かを判定する（ステップＳ２）。ここで、通信パラメータが存在しないと判定した場合（ステップＳ２のＮｏ）、初期処理を終了する。
一方、自身が使用可能な通信パラメータが存在すると判定した場合（ステップＳ２のＹｅｓ）、自身が使用する通信パラメータを使用する無線親機が存在するか否かを判定する（ステップＳ３）。
【００４７】
ここで、自身が使用可能な通信パラメータについて説明する。本実施の形態において、図４に示すように、無線ＬＡＮ装置１００はマルチＳＳＩＤ対応である。無線ＬＡＮ装置１００は、例えばＳＳＩＤ＿Ａ、ＳＳＩＤ＿Ｂ、ＳＳＩＤ＿Ｃを持つ。
また、無線ＬＡＮ装置１００は、本体の裏面に貼り付けられているＱＲコード情報部６２０に記載されたＱＲコードを印刷したシールに対応付けられている通信パラメータのデフォルト値を持つ。したがって、ＳＳＩＤ＿Ａは、当該通信パラメータのＤｅｆａｕｌｔＳＳＩＤ、ＳＳＩＤ＿Ｂはユーザが手動設定する通信パラメータであるＵｓｅｒＳＳＩＤ、ＳＳＩＤ＿Ｃは無効（空き）を有する。
【００４８】
なお、本実施の形態では、ＳＳＩＤ＿Ｃは無効（空き）としたが、例えば無線ＬＡＮ装置１００は、すでに無線ＬＡＮ装置７００などの無線親機から通信パラメータをコピー済みであり、その通信パラメータをＳＳＩＤ＿Ｃとして設定し、通信可能な状態の場合もある。
【００４９】
本実施の形態においては、無線ＬＡＮ装置１００の電源投入時の動作として、使用可能な通信パラメータが存在するため、ステップＳ２の処理の次にステップＳ３の処理に進み、自身が使用する通信パラメータを使用した無線親機が他に存在するかどうかを確認する。
【００５０】
例えば、当該確認は他の無線親機から送信されるＢｅａｃｏｎ（ビーコン）を用いて、ＳＳＩＤ情報を含む信号を受信することにより確認することができる。
【００５１】
ステップＳ３の処理の具体例として、無線ＬＡＮ装置１００は、ＳＳＩＤ＿ＡとＳＳＩＤ＿Ｂとして設定可能な通信パラメータを使用した他の親機による通信の存在を確認する。
【００５２】
次いで、当該確認により、自身が使用する通信パラメータを使用している他の無線親機が存在しないと判断した場合（ステップＳ３のＮｏ）、無線ＬＡＮ装置１００はＳＳＩＤ＿Ａ，ＳＳＩＤ＿Ｂを自身に設定し、通信可能状態とする。
【００５３】
一方、当該確認により、自身が使用する通信パラメータを使用している他の無線親機が存在すると判断した場合（ステップＳ３のＹｅｓ）、無線ＬＡＮ装置１００は、例えばＳＳＩＤ＿Ｂを使用した他の無線親機が存在する場合、存在する旨をＬＥＤや音などにより報知する（ステップＳ４）。そして、存在しなくなるまでステップＳ３の処理およびステップＳ４の処理を繰り返す。
【００５４】
なお、その際、該当する通信パラメータ（上記の場合ＳＳＩＤ＿Ｂ）を「無効」に設定してもよい。この場合、「自身が使用する通信パラメータを使用している他の無線親機が存在する」旨の報知を行いつつ、通信可能な通信パラメータ（例えばデフォルト値など）を使用した通信を可能としてもよい。
【００５５】
最後に、存在しないと判定した通信パラメータ、ＳＳＩＤ＿Ａ，ＳＳＩＤ＿Ｂの通信を可能とする（ステップＳ５）。以上により、無線ＬＡＮ装置１００の初期処理を終了する。
【００５６】
これにより、例えばユーザが間違って他の無線親機に対して同じ通信パラメータを設定していた場合または、他の無線親機から通信パラメータをコピー済みであるにもかかわらず、自身と他の無線親機（通信パラメータのコピー元）の電源を投入してしまった場合に、通信パラメータが重複することを防止することができる。
【００５７】
続いて、図６に示すように、無線ＬＡＮ装置１００のコピーボタン６１０を押下操作する。
また、既設の無線ＬＡＮ装置７００に予め設けられたＷＰＳボタンを押下操作する。
この場合、図６に示すように、無線ＬＡＮ装置１００は、領域決定処理を行い、その後、ＷＰＳによる要求を待ち受ける。
【００５８】
続いて、図６の領域決定処理について説明を行う。図９は、図６の領域決定処理の一例を示すフローチャートである。
【００５９】
図９に示すように、無線ＬＡＮ装置１００は、コピーボタン６１０の押下操作の後に、記憶領域に無効の領域があるか否かを判定する（ステップＳ１１）。
【００６０】
無効の領域が存在する場合（ステップＳ１１のＹｅｓ）、例えば、ＳＳＩＤ＿ＡがＤｅｆａｕｌｔＳＳＩＤであり、暗号化Ａ１であり、ＳＳＩＤ＿ＢがＵｓｅｒＳＳＩＤであり、暗号化Ｂ１であり、ＳＳＩＤ＿Ｃが無効の場合、無効の領域が決定するので、領域決定処理を終了させる。
なお、ＤｅｆａｕｌｔＳＳＩＤ、暗号化Ａ１とは、無線ＬＡＮ装置１００自身の通信パラメータであり、無線ＬＡＮ装置１００に貼り付けられたＱＲコード情報部６２０のＱＲコードが印刷されたシールの情報でもある。
【００６１】
また、無効の領域が存在しない場合（ステップＳ１１のＮｏ）、例えば、ＳＳＩＤ＿ＡがＤｅｆａｕｌｔＳＳＩＤであり、暗号化Ａ１であり、ＳＳＩＤ＿ＢがＵｓｅｒＳＳＩＤであり、暗号化Ｂ１であり、ＳＳＩＤ＿ＣがｏｌｄＳＳＩＤであり、暗号化Ｃ１の場合、無効の領域が存在しないため、ＬＥＤや音などにより報知する（ステップＳ１２）。その結果、ユーザは、無効の領域が存在しないことを認識することができる。
【００６２】
続いて、所定時間内に所定の操作が実施されたか否かを判定する（ステップＳ１３）。実施されないと判定された場合（ステップＳ１３のＮｏ）、コピーをすることなく終了する（ステップＳ１４）。そのため、既に設定済みの大切な通信パラメータを誤って上書きすることを防止できる。
【００６３】
一方、所定の操作が実施されたと判定された場合（ステップＳ１３のＹｅｓ）、コピー領域を無効に設定する（ステップＳ１５）。すなわち、予め決められたＳＳＩＤのうち一部または全部を無効とする。たとえば、ＳＳＩＤ＿Ｂ、ＳＳＩＤ＿Ｃのいずれか一方または両方を無効とする。
【００６４】
また、上記の所定の操作とは、例えば、「５秒以内にＷＰＳボタンとコピーボタンの同時押し」、「ＷＰＳボタンまたはコピーボタンの２秒以上の長押し」など、任意で予め決定された操作である。
なお、ＳＳＩＤ＿Ｂ，ＳＳＩＤ＿Ｃのいずれか一方を無効とする場合、所定の操作、例えば、コピーボタンの押下回数により無効に変更させる優先順位を決定させることとしてもよい。
さらに、ＳＳＩＤ＿Ｂ，ＳＳＩＤ＿Ｃのうち所定期間以上アクセスが無い場合、当該通信パラメータを自動的に無効に変更させてもよい。
【００６５】
なお、所定期間以上アクセスが無いかどうかの判定は、無線ＬＡＮ装置１００が自身の通信履歴を保持し、その保持されている情報を確認することにより判定してもよい。
【００６６】
次いで、図６に示すように、無線ＬＡＮ装置１００の送信部２００から既設の無線ＬＡＮ装置７００に対して無線ＬＡＮ設定情報を要請する信号が送信される。
なお、本実施の形態においては、記載していないが、予めリクエスト信号またはビーコン等を無線ＬＡＮ装置１００から既設の無線ＬＡＮ装置７００へ発信し、当該発信の回答を無線ＬＡＮ装置１００が受信するようにしてもよい。
【００６７】
また、既設の無線ＬＡＮ装置７００にＷＰＳに関するボタンを設けず、自動的に無線ＬＡＮ装置１００の要請する信号に応答させてもよい。
【００６８】
続いて、図６に示すように、既設の無線ＬＡＮ装置７００は、要請する信号を受信し、既設の通信ネットワークに関するＷＰＳを含む無線ＬＡＮ設定情報を無線ＬＡＮ装置１００へ送信する。
具体的には、既設の通信ネットワークのＳＳＩＤがＯｌｄＳＳＩＤであり、暗号化がＣ１であることを送信する。
【００６９】
無線ＬＡＮ装置１００は、既設の無線ＬＡＮ装置７００からの無線ＬＡＮ設定情報を受信した場合、既設の無線ＬＡＮ装置７００へ無線ＬＡＮ設定情報を受信した旨の信号を送信する。
続いて、図６に示すように、無線ＬＡＮ装置１００は、設定前処理を実施する。
【００７０】
図１０は、図６の設定前処理の一例を示すフローチャート図である。
図１０に示すように、無線ＬＡＮ装置１００は、既設の無線ＬＡＮ装置７００から取得した通信パラメータを使用する無線親機が存在するか否かを判定する（ステップＳ２１）。
すなわち、ステップＳ２１の処理は、同じ通信パラメータが重複することを防止するための処理である。
【００７１】
例えば、当該確認は他の無線親機から送信されるＢｅａｃｏｎ（ビーコン）を用いて、ＳＳＩＤ情報を含む信号を受信することにより確認することができる。
【００７２】
ここで、例えば、ステップＳ２１の処理により、既設の無線ＬＡＮ装置７００から取得した通信パラメータを使用している他の無線親機が存在すると判定した場合（ステップＳ２１のＹｅｓ）、すなわち、既設の無線ＬＡＮ装置７００自身がまだ存在する場合、存在する旨をＬＥＤや音などにより報知する（ステップＳ２２）。そして、当該無線親機である既設の無線ＬＡＮ装置７００の通信が消失されるまで、待機する。
【００７３】
一方、当該無線親機が存在しないと判定された場合（ステップＳ２１のＮｏ）、図６に示すように、無線ＬＡＮ装置１００の設定部４００は、無線ＬＡＮ設定情報を記録部５００の第１記録部５１０に記録するとともに、受信した無線ＬＡＮ設定情報に基づいて設定を行う。
【００７４】
具体的に、図４に示すように、無線ＬＡＮ装置１００は、ＷＰＳに含まれるＳＳＩＤ＿ＣにＯｌｄＳＳＩＤおよび暗号化にＣ１を設定する。
【００７５】
その結果、図４に示すように、無線ＬＡＮ装置１００は、クライアント７１０，７２０と無線通信を行うことができる。
【００７６】
次いで、図５に示すように、無線ＬＡＮ装置１００は、クライアント７３０，７４０，７５０，７６０と新たな通信ネットワークを構築する。
この場合、クライアント７３０，７４０，７５０，７６０の通信設定は、図７に示すように、無線ＬＡＮ装置１００のＱＲコード情報部６２０に記載されたＱＲコードを印刷したシールを用いて行うことができる。
例えば、ＱＲコードをバーコードスキャナまたはカメラで読み取ることにより無線ＬＡＮ設定情報を設定することができる。
【００７７】
ここで、無線ＬＡＮ装置１００がＳＳＩＤ＿Ａ、ＳＳＩＤ＿ＢおよびＳＳＩＤ＿Ｃという複数のＳＳＩＤ（以下、マルチＳＳＩＤ）を有さず、新たな通信ネットワークを構築する場合、無線ＬＡＮ装置１００に貼り付けられたＱＲコードは、無線ＬＡＮ装置１００固有のものであり、既設の無線ＬＡＮ装置７００固有のＱＲコード情報を確認する必要がある。
【００７８】
したがって、例えば、既設の無線ＬＡＮ装置７００が旧式になったために、無線ＬＡＮ装置１００に置きかえを行った場合、既設の無線ＬＡＮ装置７００を廃棄する場合も多々ある。この場合、クライアント７１０，７２０に関しては、再度手作業による設定をやり直す必要があり、手間となる。
【００７９】
しかしながら、本発明にかかる無線ＬＡＮ装置１００においては、記録部５００の第１記録部５１０に既設の通信ネットワークのＷＰＳ情報が記録されているため、問題が生じず、ＱＲコードに第２記録部５２０の通信ネットワークのＷＰＳ情報が記録されているため、容易に新たな通信ネットワークを構築することができる。
【００８０】
続いて、図５に示すように、新たな通信ネットワークにおいて、クライアント７３０，〜，７６０にＳＳＩＤ＿ＡがＤｅｆａｕｌｔＳＳＩＤであり、暗号化の初期値が、Ａ１であることを設定できる。
なお、本実施の形態においては、ＱＲコード情報部６２０に記録されたＷＰＳ情報であるＳＳＩＤ等から通信を設定することとしているが、これに限定されず、クライアント７３０，〜，７６０がパーソナルコンピュータの場合には、マウスまたはキーボードを用いて設定を行ってもよい。
【００８１】
さらに、クライアント７３０，〜，７６０が携帯通信端末またはゲーム機器の場合には、ＱＲコードを撮像することにより容易に通信設定を行なうことができる。
【００８２】
なお、図６の無線ＬＡＮ装置１００とクライアント７１０，７２０が通信を行なう前に、既設の無線ＬＡＮ装置７００のＷＰＳ情報を消去する信号を無線ＬＡＮ装置１００から送信してもよい。
【００８３】
以上のように、無線ＬＡＮ装置１００の送信部２００の要請により既設の無線ＬＡＮ装置７００へ要請され、送信された通信パラメータが受信部３００により受信され、第１記録部５１０に記録される。その結果、本発明にかかる無線ＬＡＮ装置１００は、既設の無線ＬＡＮ装置７００から通信パラメータを確実にコピーし、既設のネットワークを正常に維持しつつ、新たなネットワークを容易に構築することができる。
すなわち、新たな無線ＬＡＮ装置１００においては、既設の無線ＬＡＮ装置７００の通信データをそのままコピーするのではないため、新たな無線ＬＡＮ装置１００において、新たなネットワークを増築することができる。その結果、マルチＳＳＩＤにも対応することができる。
【００８４】
また、コピーボタンにより容易に既設の通信ネットワークの通信パラメータを第１記録部５１０に保存することができる。
【００８５】
さらに、第２記録部５２０における通信パラメータが、ＱＲコードに表示されているので、容易に新規の通信ネットワークを形成することができる。
【００８６】
本発明においては、無線ＬＡＮ装置１００が「無線ＬＡＮ装置」に相当し、送信部２００が「要請部」に相当し、受信部３００が「受信部」に相当し、記録部５００が「記録部」に相当し、設定部４００が「設定部」に相当し、第１記録部５１０が「第１の記録領域」に相当し、第２記録部５２０が「第２の記録領域」に相当し、ＯｌｄＳＳＩＤが「第１の通信パラメータ」に相当し、ＤｅｆａｕｌｔＳＳＩＤが「第２の通信パラメータ」に相当し、コピーボタン６１０が「コピーボタン」に相当し、既設の無線ＬＡＮ装置７００が「受信部に通信パラメータを送信してきた装置」に相当し、ＱＲコード情報部６２０が「ＱＲコード」に相当する。
【００８７】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８８】
１００  無線ＬＡＮ装置
２００  送信部
３００  受信部
４００  設定部
５００  記録部
５１０  第１記録部
５２０  第２記録部
６１０  コピーボタン
６２０  ＱＲコード情報部
７００  既設の無線ＬＡＮ装置
【図１】
0005947254.tif 000002
【図２】
0005947254.tif 000003
【図３】
0005947254.tif 000004
【図４】
0005947254.tif 000005
【図５】
0005947254.tif 000006
【図６】
0005947254.tif 000007
【図７】
0005947254.tif 000008
【図８】
0005947254.tif 000009
【図９】
0005947254.tif 000010
【図１０】
0005947254.tif 000011